(57)【要約】【課題】記録される映像データが過度になることなく連絡先情報が表示された映像データを確実に録画できる録画装置を提供するを提供する。【解決手段】ＨＤＤレコーダ２００は、チューナ１１と、エンコーダ部２２と、周波数解析部３０と、音声認識部３１と、データプロセッサ２３と、ディスクドライブ部２４と、デコーダ部２５と、リモコン信号受信部２６と、制御部２７と、等を備えて構成されており、放送番組データを構成する音声信号の周波数を検出して「ホームページ」というキーワード（特定語句）を検出することにより、キーワード検出後の所定時間（例えば、検出後３０秒間）のみの録画を実現する。【選択図】図１
2008311912.tif 000002
【特許請求の範囲】
【請求項１】
テレビジョン放送信号を受信する受信手段と、前記受信手段で受信したテレビジョン放送信号中の映像データを記録する記録手段と、を備え、前記受信手段で受信したテレビジョン放送信号中の映像データに基づき映像を表示する表示手段と、前記受信手段で受信したテレビジョン放送信号中の音声データに基づき音声を出力する音出力手段と、に接続される録画装置において、
音声が入力される音声入力手段と、
前記音声入力手段により入力された音声を認識する音声認識手段と、
前記音声認識手段により所定のキーワードが検出されたか否かを判断する判断手段と、
前記判断手段により前記所定のキーワードが検出されたと判断された場合、前記記録手段に所定時間分の映像データを記録する録画制御手段と、
前記録画制御手段によって前記記録手段に記録された映像データを、所定期間経過後に削除する削除手段と、
を備えることを特徴とする録画装置。
【請求項２】
請求項１に記載の録画装置において、
前記録画制御手段により前記記録手段に記録された映像データのうち、保存する映像データをユーザに選択させる選択手段を備え、
前記削除手段は、前記選択手段により選択された映像データの削除を禁止することを特徴とする録画装置。
【請求項３】
請求項２に記載の録画装置において、
前記所定のキーワードをユーザが登録するためのキーワード登録手段を備えることを特徴とする録画装置。
【請求項４】
請求項３に記載の録画装置において、
前記所定のキーワードは、複数の単語を組み合わせてなることを特徴とする録画装置。
【請求項５】
請求項４に記載の録画装置において、
前記録画制御手段により、前記所定のキーワードに基づく映像データが前記記録手段に記録された場合、前記表示手段に、該映像データが記録されている旨の表示をさせる表示制御手段を備えることを特徴とする録画装置。
【請求項６】
テレビジョン放送信号を受信する受信手段と、前記受信手段で受信したテレビジョン放送信号中の映像データを記録する記録手段と、を備え、前記受信手段で受信したテレビジョン放送信号中の映像データに基づき映像を表示する表示手段と、前記受信手段で受信したテレビジョン放送信号中の音声データに基づき音声を出力する音出力手段と、に接続される録画装置において、
音声が入力される音声入力手段と、
前記音声入力手段により入力された音声を認識する音声認識手段と、
前記音声認識手段により所定のキーワードが検出されたか否かを判断する判断手段と、
前記判断手段により前記所定のキーワードが検出されたと判断された場合、前記記録手段に所定時間分の映像データを記録する録画制御手段と、
前記所定のキーワードをユーザが登録するためのキーワード登録手段と、
前記録画制御手段によって前記記録手段に記録された映像データを、所定期間経過後に削除する削除手段と、
前記録画制御手段により前記記録手段に記録された映像データのうち、保存する映像データをユーザに選択させる選択手段と、
前記録画制御手段により、前記所定のキーワードに基づく映像データが前記記録手段に記録された場合、前記表示手段に、該映像データが記録されている旨の表示をさせる表示制御手段と、
を備え、
前記削除手段は、前記選択手段により選択された映像データの削除を禁止することを特徴とする録画装置。
【発明の詳細な説明】
【技術分野】
【０００１】
本発明は、録画装置に関し、特に、テレビジョン放送の映像データを録画する録画装置に関する。
【背景技術】
【０００２】
従来、例えば、テレビジョン受像機等で受信した映像を録画する録画装置においては、ユーザによる録画開始操作や予約機能に基づき、例えば、デジタルチューナー等の受信部で受信したテレビジョン放送信号に含まれる所望の放送種別、所望の放送局の番組に関する映像データを記録手段に記録するようになっている。
【０００３】
ここで、番組放送中には、例えば、ホームページやＵＲＬ（Uniform Resource Locator）、Ｅ−ｍａｉｌアドレス等の連絡先や、料理のレシピ等に関する紹介画面がＴＶ画面上に表示されることがある。一般に、これらの情報は画面上に短時間しか表示されず、場合によってはユーザが書き写して記録する十分な時間表示されないこともある。また、例えば、ユーザが番組視聴中にその場で録画開始操作を行い得る場合は録画できるとしても、ユーザの手が塞がった状態や録画開始操作が遅れた場合には連絡先情報を記録することができないという問題がある。
【０００４】
かかる問題に鑑みて、例えば、放送中のテレビ音声データ中に所定のキーワードが含まれているか否かを判別する判別手段を備え、自動的に所望のテレビ画像をキャプチャーして表示する録画装置が知られている（例えば、特許文献１参照）。また、音声データから電子メールアドレスやＵＲＬを文字列データ（キーワード）として抽出するキーワード抽出装置を備えた録画装置も知られている（例えば、特許文献２参照）。
【特許文献１】特開２００６−２３３４５号公報
【特許文献２】特開２００４−２９５８０５号公報
【発明の開示】
【発明が解決しようとする課題】
【０００５】
しかしながら、上記特許文献１に開示される録画装置は、記録部に所定容量以上の映像データが蓄積されると該記憶部の容量が一杯になり、必要な映像データを録画できない虞がある。また、上記特許文献２に開示される録画装置にあっては、所定のキーワードに基づく文字列情報のみを記録するため、例えば、文字列が音声として発音されることなく映像にのみ表示される場合は該文字列情報を表示する映像を記録することができないという問題があった。
また、上記ＵＲＬ等の文字列情報は、必ずしも所定のキーワードそのものがアナウンスされて紹介されるとは限らず、所定のキーワード以外の言葉で紹介されることがある。このため、上記特許文献１、２とも、放送信号中に所定のキーワードが検出されない場合はユーザ所望の映像データが確実に記憶することができないという問題があった。
なお、上記ＵＲＬ等を紹介する際にアナウンスされるキーワードとして、予め予測可能なキーワードを多数登録する方法も考えられるが、登録に手間がかかる上、たとえ多数のキーワードを登録したとしても、それ以外の言葉で紹介される可能性もあり、さらに、登録するキーワードが多くなるほど、必要がない映像を記録されることになり好ましくない。
【０００６】
本発明の課題は、記録される映像データが過度になることなくユーザ所望の映像データを確実に録画できる録画装置を提供することにある。
【課題を解決するための手段】
【０００７】
上記課題を解決するために、請求項１に記載の発明は、
テレビジョン放送信号を受信する受信手段と、前記受信手段で受信したテレビジョン放送信号中の映像データを記録する記録手段と、を備え、前記受信手段で受信したテレビジョン放送信号中の映像データに基づき映像を表示する表示手段と、前記受信手段で受信したテレビジョン放送信号中の音声データに基づき音声を出力する音出力手段と、に接続される録画装置において、
音声が入力される音声入力手段と、
前記音声入力手段により入力された音声を認識する音声認識手段と、
前記音声認識手段により所定のキーワードが検出されたか否かを判断する判断手段と、
前記判断手段により前記所定のキーワードが検出されたと判断された場合、前記記録手段に所定時間分の映像データを記録する録画制御手段と、
前記録画制御手段によって前記記録手段に記録された映像データを、所定期間経過後に削除する削除手段と、
を備えることを特徴とする。
【０００８】
請求項２に記載の発明は、請求項１に記載の録画装置において、
前記録画制御手段により前記記録手段に記録された映像データのうち、保存する映像データをユーザに選択させる選択手段を備え、
前記削除手段は、前記選択手段により選択された映像データの削除を禁止することを特徴とする。
【０００９】
請求項３に記載の発明は、請求項２に記載の録画装置において、
前記所定のキーワードをユーザが登録するためのキーワード登録手段を備えることを特徴とする。
【００１０】
請求項４に記載の発明は、請求項３に記載の録画装置において、
前記所定のキーワードは、複数の単語を組み合わせてなることを特徴とする。
【００１１】
請求項５に記載の発明は、請求項４に記載の録画装置において、
前記録画制御手段により、前記所定のキーワードに基づく映像データが前記記録手段に記録された場合、前記表示手段に、該映像データが記録されている旨の表示をさせる表示制御手段を備えることを特徴とする。
【００１２】
請求項６に記載の録画装置は、
テレビジョン放送信号を受信する受信手段と、前記受信手段で受信したテレビジョン放送信号中の映像データを記録する記録手段と、を備え、前記受信手段で受信したテレビジョン放送信号中の映像データに基づき映像を表示する表示手段と、前記受信手段で受信したテレビジョン放送信号中の音声データに基づき音声を出力する音出力手段と、に接続される録画装置において、
音声が入力される音声入力手段と、
前記音声入力手段により入力された音声を認識する音声認識手段と、
前記音声認識手段により所定のキーワードが検出されたか否かを判断する判断手段と、
前記判断手段により前記所定のキーワードが検出されたと判断された場合、前記記録手段に所定時間分の映像データを記録する録画制御手段と、
前記所定のキーワードをユーザが登録するためのキーワード登録手段と、
前記録画制御手段によって前記記録手段に記録された映像データを、所定期間経過後に削除する削除手段と、
前記録画制御手段により前記記録手段に記録された映像データのうち、保存する映像データをユーザに選択させる選択手段と、
前記録画制御手段により、前記所定のキーワードに基づく映像データが前記記録手段に記録された場合、前記表示手段に、該映像データが記録されている旨の表示をさせる表示制御手段と、
を備え、
前記削除手段は、前記選択手段により選択された映像データの削除を禁止することを特徴とする。
【発明の効果】
【００１３】
本発明によれば、音声入力手段により入力された音声を音声認識手段により認識することができる。また、この音声認識手段により認識された音声が所定のキーワードであるか否かを判断手段により判断することができる。そして、この判断手段により、音声認識手段によって所定のキーワードが検出されたと判断された場合、録画制御手段により、受信手段で受信したテレビジョン放送信号中の映像データを所定時間分記録手段に記録することができる。これにより、例えば、放送中の番組の音声データ中に所定のキーワードが含まれている場合のみならず、所定のキーワードが含まれていない場合等であっても、ユーザがこれら所定のキーワードを発声することで音声入力手段から音声が入力され、音声認識手段によって所定のキーワード、つまり、記録開始のためのキーワードとすることができる。従って、ユーザ所望の情報が表示された画像データを確実に録画することができるため、例えば、番組中で紹介されたホームページアドレス等をユーザがリアルタイムにメモする必要がなくなり、ホームページの閲覧を容易とすることができる。また、放送信号中の音声データと、音声入力手段から入力された音声の何れによっても記録を開始することができるため、所望する映像データの取りこぼしを低減することができる。
【００１４】
さらに、削除手段を有することにより、前記録画制御手段によって前記記録手段に記録された映像データを、所定期間経過後、自動的に削除することができる。従って、例えば、記録手段の容量に応じて所定期間を設定することにより、該記録手段に記録された映像データの容量の範囲内において、映像データを確実に記録することができる。
【発明を実施するための最良の形態】
【００１５】
以下、本発明を実施するための最良の形態を図面を参照しながら、詳細に説明する。
本実施形態では、録画装置として、例えば、磁気ディスクに対する記録を行うＨＤＤ（Hard Disc Drive；固定磁気ディスクドライブ）レコーダを例に説明することとし、このＨＤＤレコーダにより、視聴中の番組の中で紹介される各種ホームページのＵＲＬや電子メールアドレス等が表示された映像データを録画する場合について説明する。
【００１６】
まず、図１及び図２参照しながら、機器全体の構成及び要部構成について説明する。
本実施形態のＨＤＤレコーダ２００は、図２に示すように、テレビジョン放送信号を受信する受信手段としてのチューナ２０と、このチューナ２０で受信したテレビジョン放送信号中の映像データを記録する記録手段としてのディスクドライブ部２４と、を備えた装置本体２と、ユーザが各種指示を入力することにより装置本体２を操作するためのキー入力部と、を備えて構成されている。キー入力部は、例えば、装置本体２を遠隔操作するためのリモートコントロール装置（以下、リモコンという）３である。そして、装置本体２には、外部装置であるテレビジョン受像機１００が接続されている。
【００１７】
ここで、ホームページ紹介画面は、例えば、「この番組のホームページはこちらです。」というアナウンスの後、数秒間だけディスプレイに表示されることが多い。そこで、本ＨＤＤレコーダ２００は、テレビジョン受像機１００の音声出力部１６ｂから出力された音声を取得して音声信号の周波数を検出し、「ホームページ」というキーワード（特定語句）を検出することにより、当該キーワード検出後の所定時間（例えば、検出後３０秒間）の映像データの録画を実現するものである。
【００１８】
まず、テレビジョン受像機１００の要部構成について説明する。
テレビジョン受像機１００は、例えば、テレビジョン放送信号（以下、放送信号という。）を受信し、受信した放送信号を、所定の出力信号に変換し、映像／音声データを出力する機器本体部１と、ユーザが音声情報を機器本体部１に無線で出力することができると共に操作キーの押下操作により入力操作信号を送信することができるリモートコントロール装置（以下、リモコンという）３と、を備えて構成されている。
【００１９】
機器本体部１は、放送信号を受信する受信手段としてのアンテナ４と、アンテナ４により受信された放送信号から所定の放送チャンネルの放送信号を選局するチューナ１１と、チューナ１１から出力された放送信号の復調及び誤り訂正処理を行う復調部１２と、復調部１２で復調された放送信号から各データを分離抽出することで、映像／音声データを取得するデマルチクサ１３と、デマルチクサ１３で取得された映像／音声データに伸張処理を行うデコーダ１４と、デコーダ１４で伸張された映像データにＯＳＤ（On-Screen Display）データを付加するＯＳＤ処理部１５と、アンテナ４及びチューナ１１で受信したテレビジョン放送信号中の映像データに基づきデコーダ１４、ＯＳＤ処理部１５で処理された映像／音声データを出力して表示する表示手段としてのディスプレイ（映像表示部）１６ａと、同じくアンテナ４及びチューナ１１で受信したテレビジョン放送信号中の音声データに基づき音声を出力する音出力手段としてのスピーカ（音声出力部）１６ｂと、リモコン３からの入力操作信号を受信するとともに、当該入力操作信号を制御部１９に出力するリモコン信号受信部１８と、機器本体部１全体を統括制御する制御部１９と、各部を接続する制御バス５と、を備えて構成されている。
【００２０】
ＯＳＤ処理部１５は、デコーダ１４から出力される画像データ上に、例えば、メニュー画面等のように、ユーザが種々の設定を行う際の設定画面データを合成させてディスプレイ１６ａに表示させる。本実施形態では、例えば、ユーザが所望するキーワードに関する画像データを録画するために、予め候補として登録されている複数のキーワードの中からユーザが所望のキーワードを選択するための、後述するキーワード設定画面（例えば、図４参照）が表示される。なお、キーワードは、予め登録された特定の語句の他に、ユーザが種々の文字や単語群の中から様々な語句を組み合わせて登録できるようにしてもよい。
【００２１】
リモコン信号受信部１８は、リモコン３に備わる各種キーがユーザにより押下操作されることにより出力された赤外線等の入力操作信号を受信し、当該入力操作信号を制御部１９に出力する。
【００２２】
制御部１９は、例えば、図１に示すように、ＣＰＵ（Central Processing Unit）１９１と、ＲＡＭ（Random Access Memory）１９２と、記憶部１９３と、などを備えている。
【００２３】
ＣＰＵ１９１は、記憶部１９３に記憶されたコマンドテーブル及び各種処理プログラムに従って各種の制御動作を行う。
【００２４】
ＲＡＭ１９２は、ＣＰＵ１９１によって実行される処理プログラムなどを展開するためのプログラム格納領域や、入力データや上記処理プログラムが実行される際に生じる処理結果などを格納するデータ格納領域などを備えている。
【００２５】
記憶部１９３には、機器本体部１で実行可能なシステムプログラム、当該システムプログラムで実行可能な各種処理プログラム、これら各種処理プログラムを実行する際に使用されるデータ、ＣＰＵ１９１によって演算処理された処理結果のデータなどが記憶されている。なお、プログラムは、コンピュータが読み取り可能なプログラムコードの形で記憶部１９３に記憶されている。
【００２６】
次に、本実施形態におけるＨＤＤレコーダ２００の要部構成について説明する。
本ＨＤＤレコーダ２００は、放送番組データ（コンテンツデータ）としての音声・映像信号を、記録手段としての磁気ディスク２４１に記録するとともに、当該磁気ディスク２４１に記録された放送番組データの再生を行う装置本体２を備えている。なお、本実施形態では、上述したリモコン３により、テレビジョン受像機１００及びＨＤＤレコーダ２００の何れをも操作できるようになっている。
かかるＨＤＤレコーダ２００は、装置本体２内に、テレビジョン放送信号である音声・映像信号を受信して、当該音声・映像信号のうちから所定の放送チャンネルの放送番組データを選局するチューナ２０と、チューナ２０から入力された放送番組データに対して所定の圧縮処理を行うエンコーダ部２２と、放送番組データの入出力を制御して、エンコーダ部２２から入力された放送番組データをディスクドライブ部２４に供給するとともに、ディスクドライブ部２４から取り込んだ放送番組データをデコーダ部２５に供給するデータプロセッサ２３と、磁気ディスク２４１に対して放送番組データの記録及び再生を行うディスクドライブ部２４と、ディスクドライブ部２４から出力された放送番組データに所定の伸張処理を行うデコーダ部２５と、リモコン３等のキー入力部から送信される入力操作信号を受信するとともに、当該入力操作信号を制御部２７に出力するリモコン信号受信部２６と、装置本体２全体を統括制御する制御部２７と、等を備えて構成され、各部は制御バス２８により接続されている。
【００２７】
チューナ２０は、例えば、図示は省略するが、高周波増幅回路と、局部発振回路及び混合回路から成る周波数変換回路と、を備えて構成されており、アンテナ等により入力されたデジタルテレビジョン放送信号（ＲＦ信号）と、局部発振回路から出力される局部発振信号とを混合回路により混合し、当該放送信号の周波数を選局するための制御部２７からの制御出力に応じて、特定周波数帯のテレビジョン放送信号を受信する。そして当該受信したテレビジョン放送信号に所定の処理を行うことによりＴＳ（トランスポートストリーム）に変換してエンコーダ部２２に出力する。
【００２８】
音声情報取得部２１は、例えば、マイクロホンが用いられ、スピーカ１６ｂから出力される音声及びユーザが発声した音声をそのまま音声情報として取得する。かかる音声情報取得部２１は、ＨＤＤレコーダ２００に音声が入力される本実施形態における音声入力手段として機能する。
なお、音声情報取得部２１は、音声をそのまま音声情報として取得する場合に限らず、例えば、音声が音声信号に変換された後に、当該音声信号を音声情報として取得する設計であっても良い。
【００２９】
エンコーダ部２２は、例えば、ビデオエンコーダ２２１と、オーディオエンコーダ２２２と、フォーマッタ２２３と、等を備えて構成されている。
ビデオエンコーダ２２１は、映像信号をＭＰＥＧ２（Moving Picture Experts Group 2）方式に従って圧縮する。具体的には、ビデオエンコーダ２２１は、映像信号に対して、ＤＣＴ（Discrete Cosine Transform）、再量子化、動き補償、可変長符号化、及び多重化等の各種処理を行うことで、情報量の圧縮を行う。
オーディオエンコーダ２２２は、例えば、音声信号をドルビーＡＣ３（Dolby Audio Compression 3）方式に従って圧縮する。この方式を採用したオーディオエンコーダ２２２は、音声データをＭＤＣＴ（Modified Discrete Cosine Transform）により一旦各サンプリング期間毎に周波数成分に変換して、再量子化、ビット数割り当て等の処理を行うことで、情報量の圧縮を行う。当該オーディオエンコーダ４２においてエンコードされた音声信号は、フォーマッタ２２３に出力される。
フォーマッタ２２３は、ビデオエンコーダ２２１から入力される映像データ及びオーディオエンコーダ２２２から入力される音声データに対してストリーム合成を行い、ディスクドライブ部２４において磁気ディスク２４１に書き込み可能なファイル形式に変換して、データプロセッサ２３に供給する。
【００３０】
周波数解析部３０は、例えば、チューナ２０や音声情報取得部２１から入力された音声信号を図示しないメモリに所定区間毎に一旦蓄積し、蓄積音声データを周波数変換して周波数を解析し、解析結果を制御部２７に出力する。具体的には、周波数解析部３０は、音声データに対して平均化処理又は間引き処理を行った後に、ＦＦＴ（高速フーリエ変換処理；Fast Fourier Transform）等による周波数解析を行う。
かかる周波数解析部３０は、本実施形態における音声認識手段の一部として機能する。
【００３１】
音声認識部３１は、例えば、音響辞書３１１と、特定の単語のパターンが登録された言語パターン辞書３１２と、を備え、入力された音声信号を解析して、人間の声をテキストデータに変換して、特定語句を検出する。当該音声認識部３１は、周波数解析部３０において周波数変換された音声信号の音響特徴を音響辞書３１１に基づいて抽出し、抽出した音響特徴を基に、言語パターン辞書３１２に登録された語句を検索して、検出結果を制御部２７に出力する。
かかる音声認識部３１は、チューナ２０や音声情報取得部２１から入力された音声を認識する本実施形態における音声認識手段の一部として機能する。
ここで、本実施形態において音声認識部３１において検出されるキーワード（特定語句）は、後述するキーワード登録プログラム２７５ｆの実行により、予めＥＥＰＲＯＭ２７４に記憶された複数の設定候補語句の中からユーザにより選択されて設定される語句であり、例えば、「ホームページ」という語句等である。
【００３２】
データプロセッサ２３は、例えば、バッファメモリ２３１を備え、ＣＰＵ２７１からの制御出力に基づいて、ディスクドライブ部２４に対する音声・映像データの入出力経路を設定し、データの読み出し／書き込み等、データの入力及び出力を制御する。
具体的には、データプロセッサ２３は、例えば、エンコーダ部２２から入力された放送番組データに対して、誤り訂正等の処理を行い、一旦バッファメモリ２３１に貯めた後に、ＣＰＵ２７１からの制御出力に応じてディスクドライブ部２４に出力するとともに、ディスクドライブ部２４から読み込んだ放送番組データに対して、誤り訂正等の処理を行い、一旦バッファメモリ２３１に貯めた後に、ＣＰＵ２７１からの制御出力に応じてデコーダ部２５に出力する。
【００３３】
ディスクドライブ部２４は、例えば、内蔵された磁気ディスク２４１と、磁気ディスク２４１に対するデータの記録或いは磁気ディスク２４１に記録されたデータの読み出しを行う磁気ヘッド２４２と、磁気ディスク２４１を回転駆動させるスピンドルモータ２４３と、磁気ヘッド２４２を磁気ディスク２４１の半径方向に移動させるためのアクチュエータ２４４と、等を備えて構成され、磁気ヘッド２４２と磁気ディスク２４１との間には、電流を供給することにより磁界を発生する微小な隙間が設けられている。磁気ディスク２４１は、図示しないアルミ基板やガラス基板等のディスク基板、下地層、磁性層、保護膜、潤滑剤から構成されており、両面に情報の記録ができるようになっている。ディスクドライブ部２４は、高速に回転させた磁気ディスク２４１上に、アクチュエータ２４４により磁気ヘッド２４２を移動させて、データの読み書きを行う。
【００３４】
なお、ディスクドライブ部２４に内蔵された磁気ディスク２４１のデータ構造について、図３を参照して詳しく説明すると、磁気ディスク２４１は、磁気ディスク２４１の半径方向に放射状に埋め込まれたサーボデータ領域と、ユーザデータ領域と、を備えて構成されている。サーボデータ領域は、トラック番号と、セクタ番号と、バースト信号とから構成されており、ディスクドライブ部２４は、書き込み命令と書き込み先のアドレスを受け取ると、当該サーボデータに基づいて磁気ヘッド２４２の現在位置を特定し、目的のアドレスに磁気ヘッド２４２を移動してデータを書き込む。ユーザデータ領域は、ヘッダ領域及びコンテンツ領域を含む構成となっており、ヘッダ領域には、プリアンブルや、シンクマーク、エラー訂正符号等の他、タイトル情報、ジャンル情報、時間情報としての録画時間情報等のデータが格納され、コンテンツ領域には、記録の対象となる放送番組データが格納される。
【００３５】
デコーダ部２５は、例えば、分離部２５１と、ビデオデコーダ２５２と、オーディオデコーダ２５３と、Ｄ／Ａ変換部２５４と、等を備えて構成されている。
分離部２５１は、ディスクドライブ部２４からデータプロセッサ２３を介して出力された放送番組データを映像データ、音声データ、副映像データ等の複数のストリームに分離する。
ビデオデコーダ２５２は、分離部２５１から入力された映像データを、ＭＰＥＧ２方式に従って伸張する。具体的には、ビデオデコーダ２５２は、映像データに、可変長復号化、逆量子化、逆ＤＣＴ、動き補正等の各種処理を行うことで、映像データの伸張を行う。
オーディオデコーダ２５３は、分離部２５１から入力された音声データをドルビーＡＣ−３方式に従って伸張する。
Ｄ／Ａ変換部２５４は、量子化された映像データ又は音声データを、その量子化データに応じたアナログ量に変換することにより、それぞれアナログ変換する。
当該Ｄ／Ａ変換部２５４においてアナログ変換された映像データは、図示しないビデオミキシング部においてＯＳＤデータ等の合成が行われ、図示しないフレームメモリに一旦格納された後に、ＣＰＵ２７１からの制御出力に応じて装置本体２に接続されたテレビジョン受像機１００のディスプレイ１６ａに出力されることとなる。また、Ｄ／Ａ変換部２５４においてアナログ変換された音声データは、テレビジョン受像機１００のスピーカ１６ｂに出力されることとなる。
【００３６】
リモコン信号受信部２６は、リモコン等のキー入力部３に備わる各種キーがユーザにより押下操作されることにより出力された赤外線等の入力操作信号を受信し、増幅、検波、誤り訂正等の処理を施して、当該入力操作信号を制御部２７に対して出力する。
【００３７】
制御部２７は、ＣＰＵ（Central Processing Unit）２７１と、計時部２７２と、ＲＡＭ（Random Access Memory）２７３と、ＥＥＰＲＯＭ（Electronically Erasable and Programmable Read Only Memory）２７４と、ＲＯＭ（Read Only Memory）２７５と、等を備えて構成されている。
【００３８】
ＣＰＵ２７１は、装置本体２の各部から入力された入力信号及びマイク付きリモコン３の各種キーの押下操作によってリモコン信号受信部２６を介して入力された入力操作信号等に応じて、ＲＯＭ２７５に格納された各種プログラムを実行するとともに、実行にかかるプログラムに基づいて各部に出力信号を出力することによって、ＨＤＤレコーダ２００の動作全般を統括制御する。
【００３９】
計時部２７２は、例えば、現在時刻を計時しており、ＣＰＵ２７１からの制御出力に応じて、計時した現在時刻データを、ＣＰＵ２７１に対して出力する。
【００４０】
ＲＡＭ２７３は、ＣＰＵ２７１によって各種プログラムが実行される際に生じる処理結果や、入力されたデータ等を一時的に記憶する。
【００４１】
ＥＥＰＲＯＭ２７４は、例えば、書き換え可能な半導体メモリであり、ＣＰＵ２７１によるキーワード登録プログラム２７５ｆの実行においてユーザにより設定された所定のキーワード（特定語句）の設定データ２７４ａを格納している。また、例えば、図示は省略するものの、特定語句の初期設定データが別領域に格納されていても良い。
【００４２】
ＲＯＭ２７５は、例えば、不揮発性の半導体メモリであり、ＣＰＵ２７１によって実行される各種の制御プログラム並びに各制御プログラムの処理にかかるデータ等を記憶するものである。
具体的には、ＲＯＭ２７５には、音声認識プログラム２７５ａと、キーワード判断プログラム２７５ｂと、録画制御プログラム２７５ｃと、削除プログラム２７５ｄと、保存データ選択プログラム２７５ｅと、キーワード登録プログラム２７５ｆと、録画済表示制御プログラム２７５ｇと、等のプログラムが格納されている。
【００４３】
音声認識プログラム２７５ａは、ＣＰＵ２７１に、チューナ２０或いは音声情報取得部２１により取得した音声情報に対して音声認識処理を行う機能を実現させるプログラムである。
具体的に、音声認識は、例えば、Ｊｕｌｉｕｓという音声認識ソフトウェアが用いられ、膨大な音声パターンと言語パターンの統計データを集積することにより実現される。音声認識の基本原理は、音響モデル（音素（ローマ字１文字にほぼ相当）や音節（かな１文字に相当））の周波数パターンを記憶し、単語辞書を参照しながら、入力された音声の音声波形信号から単音節部分を切出した音節列信号とマッチングを行い、音声の認識を行う。
ＣＰＵ２７１は、かかる音声認識プログラム２７５ａを実行することにより、スピーカ１６ｂから出力される音声を認識する本実施形態における音声認識手段として機能する。
【００４４】
キーワード判断プログラム２７５ｂは、音声情報取得部２１により取得された音声情報の中に、後述するキーワード登録プログラム２７５ｆにより設定された所定のキーワードが含まれているか否かをＣＰＵ２７１に判断させる機能を実現させるプログラムである。
具体的に、ＣＰＵ２７５ｂは、音声認識プログラム２７５ａを実行するＣＰＵ２７１により認識された音声の中に、後述するキーワード設定画面において選択された所定のキーワード（例えば、「ホームページ」）が含まれているか否かを判断する。
ＣＰＵ２７１は、かかるキーワード判断プログラム２７５ｂを実行することにより、音声認識手段により所定のキーワードが検出されたか否かを判断する本実施形態におけるキーワード判断手段として機能する。
【００４５】
録画制御プログラム２７５ｃは、音声認識部３１において所定のキーワードが検出された場合に、現在放送中の番組の映像データを所定時間分録画するように制御する機能をＣＰＵ２７１に実現させるプログラムである。
具体的に、ＣＰＵ２７１は、上記キーワード判断プログラム２７５ｂを実行するＣＰＵ２７１により、後述するキーワード設定画面において予め設定した所定のキーワード（例えば、「ホームページ」）が音声認識部３１において検出されたと判断された場合、現在受信中の放送番組の映像データを現在時刻と対応付けて所定時間分（例えば、３０秒間）磁気ディスク２４１に記録する制御を実行する。
ＣＰＵ２７１は、かかる録画制御プログラム２７５ｃを実行することにより、判断手段により所定のキーワードが検出されたと判断された場合、記録手段に所定時間分の映像データを記録する本実施形態における録画制御手段として機能する。
【００４６】
削除プログラム２７５ｄは、上記録画制御プログラム２７５ｃを実行するＣＰＵ２７１により磁気ディスク２４１に記録された映像データを、当該録画時から所定期間経過した後、自動的に削除する機能をＣＰＵ２７１に実現させるプログラムである。
具体的に、ＣＰＵ２７１は、録画手段としてのＣＰＵ２７１によって磁気ディスク２４１に録画された放送番組データを、例えば１週間後、或いは３０日後、等、所定期間経過後に削除する制御を実行する
ＣＰＵ２７１は、かかる削除プログラム２７５ｃを実行することにより、録画制御手段によって記録手段に記録された映像データを、所定期間経過後に削除する本実施形態における削除手段として機能する。
【００４７】
保存データ選択プログラム２７５ｅは、上機記録手段に記憶された放送番組の中で、保存を希望する画面をユーザに選択させる機能をＣＰＵ２７１に実現させるプログラムである。
具体的に、ＣＰＵ２７１は、例えば、磁気ディスク２４１に記録された映像データのうち、ユーザが保存を希望する映像データを、上記削除プログラム２７５ｄの削除対象から除くことで、選択された映像データの削除を禁止する。
ＣＰＵ２７１は、かかる保存データ選択プログラム２７５ｅを実行することにより、録画制御手段により記録手段に記録された映像データのうち、保存する映像データをユーザに選択させる本実施形態における選択手段として機能する。
【００４８】
キーワード登録プログラム２７５ｆは、例えば、ＣＰＵ２７１に、予め用意された複数の設定候補語句の中から一又は複数の語句を選択することにより、ユーザにキーワードを設定させる機能を実現させるためのプログラムである。
具体的には、ＣＰＵ２７１は、ユーザによるリモコン３等のキー入力部の操作により、キーワードを設定するためのキーワード設定画面の表示を要求する入力操作信号が制御部２７に入力されると、当該キーワード登録プログラム２７５ｆの実行により、複数の設定候補語句の中からキーワードを選択するためのキーワード設定画面をテレビジョン受像機１００のディスプレイ１６ａに表示させる。当該キーワード設定画面は、例えば、図４に示すように、一又は複数のキーワードを複数の設定候補語句の中から選択できるようになっており、当該キーワード設定画面において、ユーザによるリモコン３の操作により所望のキーワードが選択されると、当該選択されたキーワードデータがＥＥＰＲＯＭ２７４に設定データ２７４ａとして格納される。そして、ＥＥＰＲＯＭ２７４に格納された設定データ２７４ａが、上記キーワード判断プログラム２７５ｂの実行により音声情報取得部２１において抽出されるキーワードとなる。
ＣＰＵ２７１は、かかるキーワード登録プログラム２７５ｆを実行することにより、所定のキーワードをユーザが登録するための本実施形態におけるキーワード登録手段として機能する。
【００４９】
録画済表示制御プログラム２７５は、テレビジョン受像機１００のディスプレイ１６ａに、上述した録画制御プログラム２７５Ｃを実行するＣＰＵ２７１により、録画された映像データがあることをユーザに知らせる機能をＣＰＵ２７１に実現させるプログラムである。
具体的に、ＣＰＵ２７１は、録画制御プログラム２７５Ｃを実行するＣＰＵ１９１により、音声認識部３１において所定のキーワードが認識された後の画面、すなわち、本実施形態では種々のホームページのＵＲＬ情報や、Ｅ−ｍａｉｌアドレス情報が表示された画面の映像データが磁気ディスク２４１に記録されている場合に、その旨の案内を、例えば、図５（ａ）に示すマークＡ（数字は、例えば、一つの映像データが記録されていることを示す）や文字表示Ｂ（数字は、例えば、三つの映像データが記録されていることを示す）等をディスプレイ１６ａ上にＯＳＤ表示させることで行う。
ＣＰＵ２７１は、かかる録画済表示制御プログラム２７５を実行することで、録画制御手段により所定のキーワードに基づく映像が記録手段に記録された場合、表示手段に該映像が記録されている旨の表示をさせる本実施形態における表示制御手段として機能する。
【００５０】
次に、図６に示すフローチャートを参照しながら、ＣＰＵ２７１による録画処理について説明する。
なお、以下の説明では、メニュー画面において、音声情報取得部２１から入力された音声データの中に「ホームページ」というキーワードが含まれていた場合に、その後ディスプレイ１６ａ上に表示される画像データを自動的に録画する機能（ホームページ登録機能という）をＯＮする旨の選択がなされた際の録画処理について説明する。
まず、音声情報取得部２１から音声が入力されると（ステップＳ１）、ＣＰＵ２７１は、音声情報取得部２１において取得された音声の中に所定のキーワード（例えば、「ホームページ」）が音声で認識されたか否かの判断を行う（ステップＳ２）。
そして、ステップＳ２において「ホームページ」という単語が音声認識されたと判断した場合（ステップＳ２；Ｙｅｓ）、ＣＰＵ２７１は、ディスクドライブ部２４を駆動して磁気ディスク２４１に、その後３０秒間分の画像データを録画する処理を実行する（ステップＳ３）。一方、ステップＳ２において、「ホームページ」という単語が認識されない場合（ステップＳ２；Ｎｏ）、ＣＰＵ２７１は、音声情報取得部２１から入力される音声中に「ホームページ」というキーワードが含まれているか否かの判断を繰り返し行う。
【００５１】
以上説明した本実施形態におけるＨＤＤレコーダ２００によれば、音声入力手段としてのチューナ２０又は音声情報取得部２１から入力された音声（例えば、スピーカ１６ｂから出力された音声やユーザが発声した音声）を、音声認識手段としての周波数解析部３０、音声認識部３１、音声認識プログラム１９３ｂ及びこれを実行するＣＰＵ２７１により認識することができる。また、この音声認識手段により認識された音声が所定のキーワード（例えば、「ホームページ」）であるか否かを判断手段としてのＣＰＵ２７１により判断することができる。そして、この判断手段としてのＣＰＵ２７１により、音声認識手段によって所定のキーワードが検出されたと判断された場合、録画制御手段としてのＣＰＵ２７１がディスクドライブ部２４を駆動することにより、受信手段で受信した放送信号中の映像データを所定時間分（例えば、３０秒）磁気ディスク２４１に記録することができる。これにより、例えば、放送中の番組の音声データ中に所定のキーワードが含まれている場合のみならず、所定のキーワードが含まれていない場合等であっても、ユーザがこれら所定のキーワードを発声することで音声入力手段から音声が入力され、音声認識手段によって所定のキーワード、つまり、記録開始のためのキーワードとすることができる。従って、ユーザ所望の情報が表示された画像データを確実に録画することができる。つまり、例えば、ユーザ所望の情報（例えば、ＵＲＬやＥ−ｍａｉｌアドレス等）が表示された画像データを確実に録画することができるため、例えば、番組中で紹介されたホームページアドレス等をユーザがリアルタイムにメモする必要がなくなり、ホームページの閲覧を容易とすることができる。また、チューナ２０から入力される放送信号中の音声データと、音声情報取得部２１から入力される音声の何れによっても記録を開始することができるため、所望する映像データの取りこぼしを低減することができる。
【００５２】
さらに、ＣＰＵ２９が削除手段として機能することにより、録画制御手段によって磁気ディスク２４１に記録された映像データを、所定期間（例えば、３０日）経過後、自動的に削除することができる。従って、例えば、記録手段の容量に応じて所定期間を設定することにより、該記録手段に記録された映像データの容量の範囲内において、映像データを確実に記録することができる。
【００５３】
なお、本発明は、上記実施の形態に限定されることなく、本発明の趣旨を逸脱しない範囲において種々の改良並びに設計の変更を行ってもよい。
例えば、本実施形態では、一回の録画時間（所定時間）を３０秒としたが、１〜２９秒、或いは３０秒以上の時間を所望に設定してもよい。
また、記録装置は、磁気ディスク２４１に対する記録を行うＨＤＤレコーダ２００に限られず、例えば、ＤＶＤレコーダ、ＶＣＲ（Video Cassette Recorder）等であっても良い。
また、音声認識手段は、例えば、チューナ２０から入力される音声信号の周波数を解析する周波数解析部３０と、チューナ２０から入力される所定周波数帯の音声信号から特定語句を検出する音声認識部３１とによって所定のキーワードを抽出する構成としてもよい。
【図面の簡単な説明】
【００５４】
【図１】本実施形態におけるテレビジョン受像機の要部構成を示すブロック図である。
【図２】本実施形態におけるＨＤＤレコーダの要部構成を示すブロック図である。
【図３】磁気ディスクのデータ構造を例示する図である。
【図４】キーワード判断プログラムの実行に際してディスプレイに表示されるキーワード設定画面の例示する図である。
【図５】録画済表示制御プログラムの実行に際してディスプレイに表示される画面の例示する図である。
【図６】ＣＰＵによる録画処理を示すフローチャートである。
【符号の説明】
【００５５】
１００    ディジタルテレビ受像機
１        機器本体部
１９１    ＣＰＵ（コマンド情報抽出手段、判別手段、算出手段、制御手段）
１９３    記憶部（制御コマンド情報記憶手段）
１９３ａ  コマンドテーブル（コマンド情報記憶手段）
１９３ｂ  音声認識プログラム
１９３ｃ  コマンド情報抽出プログラム（コマンド情報抽出手段）
１９３ｄ  判別プログラム（判別手段）
１９３ｅ  算出プログラム（算出手段）
１９３ｆ  制御プログラム（制御手段）
２００    ＨＤＤレコーダ（録画装置）
２０      チューナ（受信手段）
２１      音声情報取得部（音声認識手段）
３０      周波数解析部（音声認識手段）
３１      音声認識部（音声認識手段）
２４１    磁気ディスク（記録手段）
２７１    ＣＰＵ（音声認識手段、キーワード判断手段、録画制御手段、削除手段、選択手段、キーワード登録手段、表示制御手段）
２７５ａ  音声認識プログラム（音声認識手段）
２７５ｂ  キーワード判断プログラム（キーワード判断手段）
２７５ｃ  録画制御プログラム（録画制御手段）
２７５ｄ  削除プログラム（削除手段）
２７５ｅ  保存データ選択プログラム（選択手段）
２７５ｆ  キーワード登録プログラム（キーワード登録手段）
２７５ｇ  録画済表示制御プログラム（表示制御手段）
【図１】
2008311912.tif 000003
【図２】
2008311912.tif 000004
【図３】
2008311912.tif 000005
【図４】
2008311912.tif 000006
【図５】
2008311912.tif 000007
【図６】
2008311912.tif 000008